(57)【特許請求の範囲】
【請求項１】
便器を挟むようにして配置された左右一対の脚部と、
該脚部からそれぞれ上方へ立設されている立設部と、
該立設部の上端部からそれぞれ前後方向に沿って延設されている手摺部と、
一方の手摺部の前端部に軸支され、他方の手摺部の前端部にまで達する長さの長尺部材からなる姿勢保持部と、
を備えた便器用手摺装置であって、
前記姿勢保持部は、
一方の手摺部の前端部から他方の手摺部の前端部にまで差し渡されており、当該姿勢保持部の先端部が前記他方の手摺部の前端部上に載置された使用状態と、
一方の手摺部の前端部から略鉛直上向き方向に立ち上がる立ち上がり状態と、
一方の手摺部の前端部から垂下する状態となる収納状態と、
にそれぞれ状態変位することが可能であり、
該使用状態から該収納状態への状態変位に際しては、該姿勢保持部が他方の手摺部の前端部から離れるように上方へ回動することで該立ち上がり状態となり、その後該姿勢保持部が前方へ回動することで収納状態とされ、
一方、該収納状態から該使用状態への状態変位に際しては、該姿勢保持部が後方へ回動することで該立ち上がり状態となり、その後該姿勢保持部が他方の手摺部の前端部に近づくように下方へ回動することで使用状態となり、
さらに、前記姿勢保持部には、上下方向を軸として回動自在に取り付けられた、ロック機構であるストッパーが軸支されており、
前記使用状態において、前記ストッパーの先端部が前記手摺部の下側に臨む位置となるように回動操作すると、前記ストッパーの先端部と前記手摺部とが係合して、前記姿勢保持部の上方への回動が阻止されたロック状態となる
ことを特徴とする便器用手摺装置。
【請求項２】
前記一方の手摺部の前端部には、左右方向に定められた第一回転軸を中心に回動する第一回動部が接続されており、該第一回動部には、前記第一回転軸に対して直角となる方向に定められた第二回転軸を中心に回動する第二回動部が接続されており、さらに、該第二回動部には、前記姿勢保持部の一端が接続されており、
前記使用状態から前記収納状態への状態変位に際しては、該姿勢保持部が該第二回転軸を中心に回動することで前記立ち上がり状態となり、その後該姿勢保持部が該第一回転軸を中心に回動することで収納状態となり、
該収納状態から該使用状態への状態変位に際しては、該姿勢保持部が該第一回転軸を中心に回動することで該立ち上がり状態となり、その後該姿勢保持部が該第二回転軸を中心に回動することで使用状態となる
請求項１に記載の便器用手摺装置。
【請求項３】
前記第一回動部及び前記第二回動部には、回動時の回動速度を制御する制動機構が設けられている
請求項２に記載の便器用手摺装置。
【請求項４】
前記姿勢保持部は平板形状であり、前記使用状態においては表側板面が水平方向に沿っており、前記立ち上がり状態と前記収納状態との間の状態変位においては該表側板面が前後方向に沿っている
請求項１乃至請求項３のいずれか１項に記載の便器用手摺装置。
【請求項５】
前記姿勢保持部には使用者の指が挿通可能な把持用貫通孔が設けられている
請求項１乃至請求項４のいずれか１項に記載の便器用手摺装置。
【発明の詳細な説明】
【技術分野】
【０００１】
本発明は、主に洋式便器に固定されて使用される便器用手摺装置に関する。
【背景技術】
【０００２】
従来から、洋式の便器に座って用を足す際に上半身が不安定になりがちな高齢者や障害者の姿勢を安定させる手摺装置が、種々提案されている。そして、このような手摺装置には、使用者が便器に座った状態で腕を載せることができる姿勢保持部材が左右方向に架け渡されているものがあることも知られている。かかる構成とすることにより、特に排便の際に前かがみの姿勢がとりやすく、骨盤が適正な方向に向いて腹部に力を入れやすくなり、排便が容易となる。また、介助者にとっては、使用者の姿勢が安定するため見守りが楽になるという利点がある。
【０００３】
例えば特許文献１には、手すり装置に設けられた一つの基点を軸として水平方向および鉛直方向の両方向に移動可能な移動支持部（姿勢保持部）を有している構成が開示されている。
【先行技術文献】
【特許文献】
【０００４】
【特許文献１】特開２０００−３３３８８５号公報
【発明の概要】
【発明が解決しようとする課題】
【０００５】
しかしながら、上記特許文献１に開示されている手すり装置にあっては、移動支持部が水平方向に前方回旋するため、使用者が便器に着座したまま該移動支持部を前方に回動させた場合に姿勢が前方に崩れ、転倒を招くおそれがあった。逆に、移動支持部を使用状態とする際に、使用者と移動支持部との距離が遠いために該移動支持部を引き寄せにくいという問題もあった。また、立ち上がろうとする使用者を介助すべく、該移動支持部を前方に回動させて使用者の前方を開放しようとすると、便器の前方に立って介助しようとする介助者に該移動支持部が干渉してしまい、該移動支持部を避けるように無理な姿勢で介助しなければならない場合があった。またさらに、該移動支持部を下方に垂れ下がっている状態とする際に、該移動支持部の横幅が使用者の脚の位置と干渉して、該移動支持部が便器に座っている使用者の大腿部や膝に当たってしまうおそれもあった。
【０００６】
そこで本発明は、使用者が姿勢保持部を安全に操作でき、また、介助者が便器の前に居ながら該姿勢保持部を状態変位させることができる利便性に優れた便器用手摺装置を提供することを目的とする。
【課題を解決するための手段】
【０００７】
本発明は、便器を挟むようにして配置された左右一対の脚部と、該脚部からそれぞれ上方へ立設されている立設部と、該立設部の上端部からそれぞれ前後方向に沿って延設されている手摺部と、一方の手摺部の前端部に軸支され、他方の手摺部の前端部にまで達する長さの長尺部材からなる姿勢保持部と、を備えた便器用手摺装置であって、前記姿勢保持部は、一方の手摺部の前端部から他方の手摺部の前端部にまで差し渡されており、当該姿勢保持部の先端部が前記他方の手摺部の前端部上に載置された使用状態と、一方の手摺部の前端部から略鉛直上向き方向に立ち上がる立ち上がり状態と、一方の手摺部の前端部から垂下する状態となる収納状態と、にそれぞれ状態変位することが可能であり、該使用状態から該収納状態への状態変位に際しては、該姿勢保持部が他方の手摺部の前端部から離れるように上方へ回動することで該立ち上がり状態となり、その後該姿勢保持部が前方へ回動することで収納状態とされ、一方、該収納状態から該使用状態への状態変位に際しては、該姿勢保持部が後方へ回動することで該立ち上がり状態となり、その後該姿勢保持部が他方の手摺部の前端部に近づくように下方へ回動することで使用状態となり、さらに、前記姿勢保持部には、上下方向を軸として回動自在に取り付けられた、ロック機構であるストッパーが軸支されており、前記使用状態において、前記ストッパーの先端部が前記手摺部の下側に臨む位置となるように回動操作すると、前記ストッパーの先端部と前記手摺部とが係合して、前記姿勢保持部の上方への回動が阻止されたロック状態となることを特徴とする便器用手摺装置である。
【０００８】
かかる構成は、前記姿勢保持部が一方の手摺部の前端部を中心として回動する構造であるため、介助者は勿論のこと、使用者でも容易に自ら姿勢保持部を操作することができる。そして該姿勢保持部を使用状態とすれば、使用者は該姿勢保持部にもたれて前傾姿勢をとることができる。一方、該姿勢保持部を収納状態とすれば、介助者は使用者を立ち上がらせるなどの種々の介護を容易に行うことができる。ところで該姿勢保持部は、例えば使用状態から収納状態へ状態変位する際には、必ず立ち上がり状態を経て状態変位する。具体的には、該姿勢保持部の回動方向が、一方の手摺部の前端部を基点として上方向へ回動する方向と、一方の手摺部の前端部を基点として前方向へ下降する回動方向の２方向に限定されている。同様に、該姿勢保持部が収納状態から使用状態に状態変位する際には逆の経路をたどって状態変位する。すなわち、該姿勢保持部は、手摺部の前端部を基点として水平に前方回動することが一切ない。このため、着座する使用者の近くで姿勢保持部が常に回動するため、使用者の姿勢が前方に崩れてしまうことがないし、姿勢保持部を手元に引き寄せにくいということもない。また、介助者が便器の真正面に居たまま姿勢保持部を状態変位させることができるため、介護作業の効率が飛躍的に向上する利点もある。
【０００９】
ここで、前記一方の手摺部の前端部には、左右方向に定められた第一回転軸を中心に回動する第一回動部が接続されており、該第一回動部には、前記第一回転軸に対して直角となる方向に定められた第二回転軸を中心に回動する第二回動部が接続されており、さらに、該第二回動部には、前記姿勢保持部の一端が接続されており、前記使用状態から前記収納状態への状態変位に際しては、該姿勢保持部が該第二回転軸を中心に回動することで前記立ち上がり状態となり、その後該姿勢保持部が該第一回転軸を中心に回動することで収納状態となり、該収納状態から該使用状態への状態変位に際しては、該姿勢保持部が該第一回転軸を中心に回動することで該立ち上がり状態となり、その後該姿勢保持部が該第二回転軸を中心に回動することで使用状態となる構造が提案される。
【００１０】
かかる構成とすることで、簡素な構造で上記した姿勢保持部の状態変位を実現することができる。
【００１１】
なお、前記姿勢保持部は平板形状であり、前記使用状態においては表側板面が水平方向に沿っており、前記立ち上がり状態と前記収納状態との間の状態変位においては該表側板面が前後方向に沿っていることが望ましい。
【００１２】
かかる構成とすることで、使用状態の場合に使用者が安定して体重を前記姿勢保持部に乗せることができるようになるし、一時的に荷物等を置くことも可能となる。なお、該姿勢保持部を平板形状としても、上述のように、該姿勢保持部の表側板面が前後方向に沿ったまま立ち上がり状態と収納状態との間で状態変位するため、仮に姿勢保持部の前後幅が大きい寸法形状であっても、便器に着座する使用者の脚や便器の真正面に居る介助者の体に、状態変位時に該姿勢保持部が当たってしまうことがない。また、該姿勢保持部を前記収納状態とした上で、当該便器用手摺装置を便器から取り外して所要位置にコンパクトに収納しておくことも可能となる。
【００１３】
さらに、前記姿勢保持部には使用者の指が挿通可能な把持用貫通孔が設けられていることが望ましい。
【００１４】
かかる構成とすると、前記姿勢保持部が把持しやすい構造となるため、該姿勢保持部の操作が一層容易になる。また、使用者が排便の際に前記把持用貫通孔に指を通して握り込むことでより一層力を入れやすくなり、排便時の姿勢が安定することにもなる。
【００１５】
また、前記使用状態にある前記姿勢保持部の先端部と、他方の手摺部の前端部とを係合させて、該姿勢保持部が上方へ回動開始することを不能とするロック機構を備えていることが望ましい。
【００１６】
かかる構成とすることで、意図しない前記姿勢保持部の状態変位を防止することができ、安全性が向上する。
【００１７】
また、前記第一回動部及び前記第二回動部には、回動時の回動速度を制御する制動機構が設けられていることが望ましい。
【００１８】
かかる構成とすることによって、状態変位に伴う前記姿勢保持部の回動速度を安全な速度に抑えることが可能となるため、使用者や介助者が指を挟む等の不慮の事故を未然に防ぐことができる。
【発明の効果】
【００１９】
本発明の便器用手摺装置は、使用者が姿勢保持部を安全に操作でき、また、介助者が便器の前に居ながら該姿勢保持部を状態変位させることができるため、利便性に優れるという効果がある。
【図面の簡単な説明】
【００２０】
【図１】実施例にかかる便器用手摺装置を便器に取り付けた状態を左側方から示す斜視図である。
【図２】実施例にかかる便器用手摺装置を右側方から示す斜視図である。
【図３】姿勢保持部の裏側板面を示す斜視図であり、（ａ）はロック状態を示し、（ｂ）はロック解除状態を示している。
【図４】実施例にかかる便器用手摺装置における姿勢保持部の回動部分を示す部分拡大斜視図である。
【図５】姿勢保持部を立ち上がり状態とした便器用手摺装置を示す斜視図である。
【図６】姿勢保持部を収納状態とした便器用手摺装置を示す斜視図である。
【発明を実施するための形態】
【００２１】
以下、本発明の便器用手摺装置を具体化した実施例を詳細に説明する。なお、本発明は、下記に示す実施例に限定されることはなく、適宜設計変更が可能である。ところで実施例を説明する際には、便宜上、前後左右方向を規定して説明する場合があるが、このことは、本発明が下記実施例で定められた方向にのみ限定されて使用されるものではない。
【００２２】
図１に示すように、便器用手摺装置１は、便器１００を左右両側から挟むようにして配置された左右一対の脚部２，２と、該脚部２，２からそれぞれ上方へ立設されている高さ調節可能な立設部３，３と、該立設部３，３の上端部からそれぞれ前後方向に沿って延設されている手摺部４，４と、を備えている。また、前記立設部３，３間には、該立設部３，３同士をつなぐ連結部５が差し渡されている。さらに該立設部３，３には、後方に向かって突き出された杆状の固定部６，６がそれぞれ取り付けられている。なお、該左右一対の固定部６，６は、それぞれ先端が互いに内側へ向く方向に角度調節可能とされている。
【００２３】
そして、上記構成にあって、前記連結部５が便器１００の前面に当接し、かつ、前記固定部６，６の先端がそれぞれ該便器１００の左右後面に当接することで、該便器用手摺装置１が、該便器１００に固定される。
【００２４】
また、図１，２に示すように、前記便器用手摺装置１には、左右一対の手摺部４，４間に差し渡される姿勢保持部１０が備えられている。さらに詳述すると、該姿勢保持部１０の基端部１４が、一方の手摺部４（具体的には、着座する使用者を基準にして右側の手摺部４）の前端部に軸支されている。また、該姿勢保持部１０は、便器１００側を中心にして弧を描くような湾曲状の平板形状であり、かつ左側の手摺部４の前端部にまで達する長さの長尺部材で構成されている。さらに、該姿勢保持部１０には、使用者の指が挿通可能な把持用貫通孔１１が複数設けられている。
【００２５】
また、図３に示すように、前記姿勢保持部１０の裏側板面１３であって、左側の手摺部４の前端部近傍の位置には、ロック機構であるストッパー３０が軸支されている。該ストッパー３０は、長細状のブロック体からなり、該姿勢保持部１０の板厚方向を軸として回動自在に取り付けられている。
【００２６】
これまでに述べた構成にあって、図１等に示すように、前記姿勢保持部１０を手摺部４，４間に差し渡した状態とすると、該姿勢保持部１０の表側板面１２が水平となり、便器１００に着座する使用者が腕等を乗せることができる使用状態αとなる。
【００２７】
そして、前記姿勢保持部１０は、基端部１４を中心に所定方向に回動させることで、立ち上がり状態β（図５参照）、あるいは収納状態γ（図６参照）に状態変位させることができる。具体的には、該使用状態αから該収納状態γへの状態変位に際しては、該姿勢保持部１０が左側の手摺部４の前端部から離れるように上方へ回動することでまず該立ち上がり状態βとなり、その後該姿勢保持部１０が前方へ回動することで収納状態γとなる。一方、該収納状態γから該使用状態αへの状態変位に際しては、該姿勢保持部１０が後方へ回動することでまず該立ち上がり状態βとなり、その後該姿勢保持部１０が左側の手摺部４の前端部に近づくように下方へ回動することで使用状態αとなる。
【００２８】
次に、図２，図４に従って、前記姿勢保持部１０における回動構造について詳述する。
図２に示すように、右側の手摺部４の前端部には、前後方向に沿って配置したベース板４０が縦向きに固着されている。さらに、該ベース板４０には、図４に示すように、箱状の第一回動部５０が回動自在に接続されている。さらに詳述すると、該第一回動部５０は、いわゆるベアリング機構が内蔵されており、前記ベース板４０に対して左右方向に定められた第一回転軸Ｘを中心に正逆に回動自在とされている。
【００２９】
さらに、前記第一回動部５０の側端面５１には、湾曲状の平板材からなる第二回動部６０の基端６１が回動自在に接続されている。さらに詳述すると、該第二回動部６０の基端６１は、いわゆるヒンジ構造によって前記第一回動部５０の側端面５１に接続されており、該ヒンジ構造においては、前記第一回転軸Ｘと直角でかつ交わらない第二回転軸Ｙが定められている。かかる構成により、該第二回動部６０が、該第二回転軸Ｙを中心にして前記第一回動部５０に対して正逆に回動自在とされている。
【００３０】
また、前記第二回動部６０の主要部６２には、前記姿勢保持部１０の基端部１４が接続されている。具体的には、該第二回動部６０の主要部６２と該姿勢保持部１０の裏側板面１３とが面接触しており、ボルト等（図示省略）により相互が離脱不能に固定されている。
【００３１】
ところで、前記第一回動部５０の内部にあっては、第一回動部５０及び第二回動部６０の角度位置によって、該第一回動部５０又は該第二回動部６０の回動を規制する回動規制手段が備えられている。具体的には、姿勢保持部１０が使用状態αから立ち上がり状態βへ回動すると、初めて前記第一回動部５０の回動が許容されると共に、該第一回動部５０の回動中は前記第二回動部６０の回動が規制される構造となっている。また、姿勢保持部１０が収納状態γから立ち上がり状態βへ回動すると、初めて該第二回動部６０の回動が許容されると共に、該第二回動部６０の回動中は前記第一回動部５０の回動が規制される構造となっている。
【００３２】
さらに、前記第一回動部５０、及び前記第二回動部６０には、回動速度を所望の回動速度とする制動機構がそれぞれ設けられている。該制動機構としては、公知技術であるダンパー機構を具備する機構が好適に採用されうる。
【００３３】
次に、便器用手摺装置１の使用形態について再度詳述する。
図１，２に示すように、前記姿勢保持部１０の使用状態αにおいては、該姿勢保持部１０の先端部１５が左側の手摺部４の前端部上に載置される。なお、該姿勢保持部１０の先端部１５における裏側板面１３には、該手摺部４の前端部上面に当接する所定厚のスペーサー２０（図５参照）が取り付けられており、姿勢保持部１０が水平となるように高さ調整されている。また、使用状態αにおいて、該姿勢保持部１０の裏側板面１３に取り付けられている前記ストッパー３０を、その先端部３１が該左側の手摺部４の下側に臨む位置となるように回動操作すると、該ストッパー３０の先端部３１と該手摺部４とが係合して、姿勢保持部１０の上方への回動が阻止されたロック状態となる。
【００３４】
次に、前記姿勢保持部１０を収納状態γとする場合には、まず、図３ｂに示すように、前記ストッパー３０を回動させて該ストッパー３０と手摺部４との係合を解除し、ロック解除状態とした上で、該姿勢保持部１０を、前記第二回転軸Ｙを中心として上方へ回動する方向へ回動させる。これにより、図５に示すように、該姿勢保持部１０が、右側の手摺部４の前端部から略鉛直上向き方向に立ち上がる立ち上がり状態βとなる。このとき、該姿勢保持部１０の表側板面１２は、前後方向に沿う方向となり、ここで初めて前記第一回動部５０が回動自在となる。なお、該姿勢保持部１０の状態変位は、前記把持用貫通孔１１に指を通して行うことができる。
【００３５】
そしてさらに、該姿勢保持部１０を、前記第一回転軸Ｘを中心として前方に回動させながら下降させると、図６に示すように、右側の手摺部４に対して垂下した状態となり、収納状態γとなる。なお、前記第一回動５０と前記第二回動部６０には、上述のようにダンパー機構が内蔵されているため、姿勢保持部１０の自重による回転よりも遅く回動するような回転速度で回動するように制御されている。
【００３６】
なお、前記姿勢保持部１０を前記収納状態γから前記使用状態αに状態変位する際には、上記した手順を逆にたどればよい。
【００３７】
上記構成にあっては、前記姿勢保持部１０が右側の手摺部４の前端部を中心として回動する構造であるため、介助者は勿論のこと、使用者でも容易に自ら姿勢保持部１０を操作することができる。また、該姿勢保持部１０は、手摺部４の前端部を基点として水平に前方回動することが一切なく、着座する使用者の近くで常に回動するため、姿勢保持部１０を使用者が操作する際に姿勢が前方に崩れてしまうことがないし、姿勢保持部１０を手元に引き寄せにくいということもない。また、介助者が便器１００の真正面に居たまま姿勢保持部１０を状態変位させることもできるため、介護作業の効率が低下しない。
【００３８】
また、前記姿勢保持部１０は、上述のように該姿勢保持部１０の表側板面１２が前後方向に沿ったまま立ち上がり状態βと収納状態γとの間で状態変位するため、収納状態γとする際に、便器１００に着座する使用者の脚や便器１００の真正面に居る介助者の体に当たってしまうことがない。また、該姿勢保持部１０を前記収納状態γとした上で、当該便器用手摺装置１を便器１００から取り外して所要位置にコンパクトに収納しておくことも可能となる。
【００３９】
本発明は、上記実施例に限定されることはなく、各部材の寸法形状は適宜変更可能である。例えば、前記第二回転軸Ｙは、前記第一回転軸Ｘに対して直交する構造であってもよい。また、例えば第一回動部５０にヒンジ構造を適用し、第二回動部６０にベアリング構造を適用しても構わない。また第二回動部６０の主要部６２が姿勢保持部１０の表側板面１２を構成するものであっても構わない。また、上記実施例は、第一回動部５０及び第二回動部６０が右側の手摺部４の内側（便器１００側）に配置されているが、これに代えて、該第一回動部５０及び第二回動部６０が右側の手摺部４の外側面に配置される構成であっても構わない。要は、姿勢保持部１０が使用状態αにある場合に、立ち上がり状態βとなる方向以外への状態変位が不能とされ、かつ、立ち上がり状態β又は収納状態γでなければ姿勢保持部１０が前方へ回動しない回動構造が適宜採用されればよい。また、姿勢保持部１０は、左側の手摺部４に軸支されていても勿論よい。また、前記把持用貫通孔１１、あるいはストッパー３０は、必須要素ではなく、備えられていなくても勿論よい。例えば、姿勢保持部１０を容易に把持できるように、表側板面１２に把手を突出状に設けてもよい。また、上記構成に代えて、手摺部４側に他の構造のロック機構が設けられていてもよい。また、姿勢保持部１０は、樹脂製成形品であってもよいし、木質材料やウレタンフォームからなる部材であってもよい。また、収納状態γにある姿勢保持部１０に、飛散した尿が付着してしまうことを防止すべく、収納状態γの該姿勢保持部１０と便器１００との間に介在する遮蔽部材（例、レール式カーテン、ロールスクリーンなど）を手摺部４に脱着自在に取り付けて吊り下げておいてもよい。さらに、左右一対の手摺部４，４を左右方向に移動させて手摺部４，４の離間距離を調整可能な構造とした場合には、これに対応して、姿勢保持部１０の長軸方向の寸法を調整自在とする構成としてもよい。
【符号の説明】
【００４０】
１          便器用手摺装置
２          脚部
３          立設部
４          手摺部
１０        姿勢保持部
１１        把持用貫通孔
１２        表側板面
３０        ストッパー（ロック機構）
５０        第一回動部
６０        第二回動部
１００      便器
Ｘ          第一回転軸
Ｙ          第二回転軸
α          使用状態
β          立ち上がり状態
γ          収納状態
【図１】
0006456125.tif 000002
【図２】
0006456125.tif 000003
【図３】
0006456125.tif 000004
【図４】
0006456125.tif 000005
【図５】
0006456125.tif 000006
【図６】
0006456125.tif 000007